(57)【要約】【課題】積載ラックに積載されたパネルの一端部を持ち上げて建て起こす際に他端部を良好に支持できるパネル建起こし治具及びパネルの積載ラックを提供する。【解決手段】パネル建起こし治具４０は、積載ラック１のパネル受け部材２０に取り付けられる軸部４１ａと、パネル３０の他端部を支持するパネル支持部４２とを備える。パネル支持部４２は、平板部４３と壁部４４と凸部４５とによって囲まれて形成された支持溝４６を備える。パネル建起こし治具４０の支持溝４６は、積載ラック１に平積みされたパネル３０の一端部を吊り上げて建て起こす際にパネル３０の他端部を支持する。【選択図】図２
2014114087.tif 000002
【特許請求の範囲】
【請求項１】
積載ラックに平積みされた、建物を構成するパネルの一端部を吊り上げて建て起こす際に用いられるパネル建起こし治具であって、
前記積載ラックに取り付けられる取付部と、
該取付部から連続して、前記積載ラック反対側に向って側方に張り出すように設けられ、前記パネルの建て起こし時に該パネルを支持するパネル支持面と、を備え、
該パネル支持面には、該パネル支持面の張り出し方向に直交して延びる支持溝が形成され、
該支持溝は、前記パネルの建て起こし時に該パネルの他端部を支持することを特徴とするパネル建起こし治具。
【請求項２】
前記パネル支持面には、前記取付部反対側の端部に立設された壁部と、該壁部と前記取付部の間に配設された凸部が形成され、
前記支持溝は、前記壁部と前記凸部の間に形成されており、
前記壁部は、前記凸部よりも上方に突出していることを特徴とする請求項１に記載のパネル建起こし治具。
【請求項３】
前記壁部は、少なくとも前記凸部側の上端部分にＲ形状を備え、前記パネル支持面の張り出し方向に直交して延びることを特徴とする請求項２に記載のパネル建起こし治具。
【請求項４】
前記凸部の上面は、滑らかな面からなり、
該上面には、前記取付部に隣接して、該取付部側に向かって下方傾斜する傾斜面が形成されていることを特徴とする請求項２又は３に記載のパネル建起こし治具。
【請求項５】
前記取付部は、前記パネル支持面反対側に突出形成され、前記積載ラックの外側面に設けられた取付穴に取り付けられる軸部からなり、
該軸部の外表面のうち、少なくとも上面には、該軸部の突出方向に直交して延びる取付溝が形成されていることを特徴とする請求項１乃至４いずれか記載のパネル建起こし治具。
【請求項６】
前記軸部と前記パネル支持面を連結する連結部と、
該連結部から前記軸部側に突出形成され、前記積載ラックのうち、前記取付穴を備えた部分の底面と当接する当接部と、を備え、
前記軸部及び前記当接部は、前記積載ラックのうち、前記取付穴から前記底面にかけての部分を挟持することを特徴とする請求項５に記載のパネル建起こし治具。
【請求項７】
建物を構成するパネルを平積みするための積載ラックであって、
前記パネルの収容空間の土台を構成する基台部材と、
対向する該基台部材上に立設され、該基台部材間を連結するパネル受け部材と、
前記パネルの一端部を吊り上げて建て起こす際に用いるパネル建起こし治具と、を備え、
該パネル建起こし治具は、
前記パネル受け部材に取り付けられる取付部と、
該取付部から連続して、前記積載ラック反対側に向って側方に張り出すように設けられ、前記パネルの建て起こし時に該パネルを支持するパネル支持面と、を備え、
該パネル支持面には、該パネル支持面の張り出し方向に直交して延びる支持溝が形成され、
該支持溝は、前記パネルの一端部を吊り上げる際に、該パネルを建て起こし可能に該パネルの他端部を支持することを特徴とするパネルの積載ラック。
【発明の詳細な説明】
【技術分野】
【０００１】
本発明は、パネル建起こし治具及びパネルの積載ラックに係り、特に、積載ラックに平積みされた、建物を構成する外壁パネルを吊り上げ時に建て起こすために用いられる、パネル建起こし治具及びパネル建起こし治具を備えたパネルの積載ラックに関する。
【背景技術】
【０００２】
従来から、工場にて製造された幅や厚さの異なる外壁パネルを運搬等するために、外壁パネルを積載することが可能な積載ラックが知られている。
外壁パネルは、積載ラックに平積みされた状態で、トラック等の運搬車両に積み込まれ、建築現場に輸送される。輸送された外壁パネルは、積載ラックに平積みされた状態から、建築現場に据え付けられたクレーン等によって、外壁パネルの組み付け時に上方部に相当する一端部を一枚ずつ吊り上げられ、建て起こすように持ち上げられ、建物の所定位置に取り付けられる。
このとき、上下に多段積みされた外壁パネルのうち、上段の外壁パネルの一端部を吊り上げて、外壁パネルを建て起こすように持ち上げるときに、施工業者が外壁パネルの他端部を支持しなくても、吊り上げられた上段の外壁パネル他端部と積まれた下段の外壁パネルとの接触による損傷、破損等を防止可能な技術が種々提案されている（例えば、特許文献１参照）。
【０００３】
特許文献１に記載の複合パネルの積載ラック１０１は、図６に示すように、複合パネル１３０の一端部を持ち上げる際に、複合パネル１３０の他端部に取り付けられ、複合パネル１３０を支持する受け具１４０を備えている。
受け具１４０は、上下に多段積みされた複合パネル１３０の外側面と連結するための上部回動フレーム１４１と、下部回動フレーム１４３と、上部回動フレーム１４１及び下部回動フレーム１４３を連結する支持部材１４５と、を備えており、上方の複合パネル１３０の穴部に上部受け部材１４２を挿入し、下方の複合パネルの穴部に下部受け部材１４４を挿入して構成されるものである。
上方の複合パネル１３０の一端部を持ち上げたときの回転に伴い、上部回動フレーム１４１、下部回動フレーム１４３、及び支持部材１４５が回転し、下部受け部材１４４が下方の複合パネル１３０の穴部に引っ掛かると共に、支持部材１４５の下端部が下方の複合パネル１３０と当接する状態となり、下部回動フレーム１４３及び支持部材１４５が固定される。上部の複合パネル１３０は、上部回動フレーム１４１が支持部材１４５を支点として回転することによって、上部回動フレーム１４１に支持されながら持ち上げられる。
このように構成されているため、多段積みされた複合パネル１３０のような重量物の一端部を持ち上げる際に、作業者が他端部を支持することなく、部材同士の接触による損傷、荷崩れを防止することができる。
【先行技術文献】
【特許文献】
【０００４】
【特許文献１】特開平０９−１７５７７４号公報
【発明の概要】
【発明が解決しようとする課題】
【０００５】
しかし、特許文献１のような積載ラックの受け具１４０は、上部回動フレーム１４１と、下部回動フレーム１４３と、上部回動フレーム１４１及び下部回動フレーム１４３を連結する支持部材１４５とから構成されており、繰り返し使用等によって受け具１４０の連結機構の機能性が低下する恐れがあった。
そのため、コンパクトな構成からなり、耐久性に優れた、パネルを建て起こすための治具が望まれていた。
また、特許文献１の積載ラック１０１は、複合パネル１３０の穴部に受け具１４０を取り付けることで、持ち上げられた複合パネル１３０の他端部を保持する構成であり、複合パネル１３０と受け具１４０の接触により、複合パネル１３０が損傷する恐れがあった。
そのため、例えば、積載ラックに直接取り付け可能な、パネルを建て起こすための治具が望まれていた。
【０００６】
本発明は、上記の課題に鑑みてなされたものであり、本発明の目的は、積載ラックに積載されたパネルの一端部を持ち上げて建て起こす際に他端部を良好に支持することができ、コンパクトな構成で耐久性に優れた、パネル建起こし治具及びパネルの積載ラックを提供することにある。
また、本発明の他の目的は、積載ラックに積載されたパネルの損傷を防止でき、積載ラックに直接取り付け可能な、パネル建起こし治具及びパネルの積載ラックを提供することにある。
【課題を解決するための手段】
【０００７】
前記課題は、本発明のパネル建起こし治具によれば、積載ラックに平積みされた、建物を構成するパネルの一端部を吊り上げて建て起こす際に用いられるパネル建起こし治具であって、前記積載ラックに取り付けられる取付部と、該取付部から連続して、前記積載ラック反対側に向って側方に張り出すように設けられ、前記パネルの建て起こし時に該パネルを支持するパネル支持面と、を備え、該パネル支持面には、該パネル支持面の張り出し方向に直交して延びる支持溝が形成され、該支持溝は、前記パネルの建て起こし時に該パネルの他端部を支持すること、により解決される。
【０００８】
このように、パネル建起こし治具は積載ラックに取り付けられ、パネル建起こし治具のパネル支持面には、パネル支持面の張り出し方向に直交して延びる支持溝が形成され、支持溝は、パネルの建て起こし時にパネルの他端部を支持するため、支持溝が、パネルの一端部を吊り上げて建て起こした際に、パネルの他端部を下方から支持することができる。
詳しく言うと、パネルの一端部を吊り上げたときに、パネルの他端部が下方に移動して、パネル支持面に形成された支持溝内に収まり、パネル他端部の端面及び底面が支持溝に当接支持されることになる。その結果、パネルが、パネル建起こし治具によって支持された状態で支持溝を支点として回転しながら建て起こされて、持ち上げられる。このとき、パネル他端部は支持溝に当接支持されているため、下方に平積みされたパネルや積載ラックとの接触による損傷を防止することができる。
従って、積載ラックに積載されたパネルの一端部を持ち上げて建て起こす際に他端部を良好に支持することができ、コンパクトな構成で耐久性に優れた、パネル建起こし治具を提供できる。
また、積載ラックに積載されたパネルの損傷を防止でき、積載ラックに直接取り付け可能な、パネル建起こし治具を提供できる。
【０００９】
このとき、前記パネル支持面には、前記取付部反対側の端部に立設された壁部と、該壁部と前記取付部の間に配設された凸部が形成され、前記支持溝は、前記壁部と前記凸部の間に形成されており、前記壁部は、前記凸部よりも上方に突出していると良い。
このように、支持溝は、壁部と凸部の間に形成されており、壁部は、凸部よりも上方に突出しているため、パネルの一端部を吊り上げたことでパネルの他端部が下方に移動したときに、パネル他端部が、パネル支持面の取付部反対側の端部に立設され、上方に突出した壁部によって支持溝内に一層収まり易くなって支持されることになる。また、パネル他端部が壁部に一層当接し易い状態で、パネルが壁部を支点として回転しながら建て起こされることになる。
【００１０】
このとき、前記壁部は、少なくとも前記凸部側の上端部分にＲ形状を備え、前記パネル支持面の張り出し方向に直交して延びると良い。
このように構成されているため、パネルの一端部を持ち上げたときに、パネルが壁部のＲ形状を備えた部分を支点として回転しながら建て起こされることとなり、角形状からなる部分を支点として建て起こされる場合と比較して、良好にパネルを建て起こすことができる。
【００１１】
このとき、前記凸部の上面は、滑らかな面からなり、該上面には、前記取付部に隣接して、該取付部側に向かって下方傾斜する傾斜面が形成されていると良い。
このように構成されているため、パネル建起こし治具が、積載ラックに取り付けられた際に、積載ラックに対して若干遊びがあって傾いて取り付けられた場合にも、積載ラックに平積みされたパネルに対して略平行な支持面となるように、適宜傾斜面を形成することができる。従って、パネルの一端部を持ち上げたときに、下方に移動したパネル他端部が、凸部に良好に支持されると共に、凸部から支持溝に向ってガイドされ易くなり、パネルを良好に建て起こすことができるようになる。
【００１２】
このとき、前記取付部は、前記パネル支持面反対側に突出形成され、前記積載ラックの外側面に設けられた取付穴に取り付けられる軸部からなり、該軸部の外表面のうち、少なくとも上面には、該軸部の突出方向に直交して延びる取付溝が形成されていると良い。
このように、軸部の外表面のうち、少なくとも上面には、軸部の突出方向に直交して延びる取付溝が形成されているため、軸部が、積載ラックの取付穴に取り付けられた後に取付穴から抜ける方向に力が加わったとしても、軸部に形成された取付溝が、取付穴に引っ掛かる構成となり、パネル建起こし治具の抜けを防止できる。
【００１３】
このとき、前記軸部と前記パネル支持面を連結する連結部と、該連結部から前記軸部側に突出形成され、前記積載ラックのうち、前記取付穴を備えた部分の底面と当接する当接部と、を備え、前記軸部及び前記当接部は、前記積載ラックのうち、前記取付穴から前記底面にかけての部分を挟持すると良い。
このように、軸部及び当接部は、積載ラックのうち、取付穴から底面にかけての部分を挟持するため、パネル建起こし治具が積載ラックに安定して固定され、パネルの建て起こし時にパネルによる下方荷重が加わるときにも、パネル建起こし治具がパネルを強固に支持することが可能になる。
【００１４】
このとき、建物を構成するパネルを平積みするための積載ラックであって、前記パネルの収容空間の土台を構成する基台部材と、対向する該基台部材上に立設され、該基台部材間を連結するパネル受け部材と、前記パネルの一端部を吊り上げて建て起こす際に用いるパネル建起こし治具と、を備え、該パネル建起こし治具は、前記パネル受け部材に取り付けられる取付部と、該取付部から連続して、前記積載ラック反対側に向って側方に張り出すように設けられ、前記パネルの建て起こし時に該パネルを支持するパネル支持面と、を備え、該パネル支持面には、該パネル支持面の張り出し方向に直交して延びる支持溝が形成され、該支持溝は、前記パネルの一端部を吊り上げる際に、該パネルを建て起こし可能に該パネルの他端部を支持するパネルの積載ラックとして構成しても良い。
このように構成することにより、平積みされたパネルの一端部を持ち上げて建て起こす際に他端部を良好に支持することができ、コンパクトな構成で耐久性に優れた、パネル建起こし治具を備えたパネルの積載ラックを提供できる。また、直接取り付け可能な、パネル建起こし治具を備えたパネルの積載ラックを提供できる。
【発明の効果】
【００１５】
本発明のパネル建起こし治具及びパネルの積載ラックによれば、積載ラックに積載されたパネルの一端部を持ち上げて建て起こす際に他端部を良好に支持することができ、コンパクトな構成で耐久性に優れた、パネル建起こし治具及びパネルの積載ラックを提供することができる。
また、積載ラックに積載されたパネルの損傷を防止でき、積載ラックに直接取り付け可能な、パネル建起こし治具及びパネルの積載ラックを提供することができる。
【図面の簡単な説明】
【００１６】
【図１】本発明に係るパネルの積載ラックを示す概略斜視図である。
【図２】本発明に係るパネル建起こし治具を積載ラックに取り付ける前の状態を示す斜視図である。
【図３】図２のパネル建起こし治具を積載ラックに取り付けた状態を示す側面断面図である。
【図４】図３の積載ラックからパネルを吊り上げている状態を示す側面図である。
【図５】図３の積載ラックからパネルを吊り上げた状態を示す側面図である。
【図６】従来例のパネルの積載ラックの説明図である。
【発明を実施するための形態】
【００１７】
以下、本発明の実施形態について図を参照して説明する。なお、以下に説明する部材、配置等は、本発明を限定するものではなく、本発明の趣旨に沿って各種改変することができる。
【００１８】
図１は、本発明に係るパネルの積載ラックを示す概略斜視図である。図２は、本発明に係るパネル建起こし治具を積載ラックに取り付ける前の状態を示す斜視図である。図３は、図２のパネル建起こし治具を積載ラックに取り付けた状態を示す側面断面図である。図４は、図３の積載ラックからパネルを吊り上げている状態を示す側面図である。図５は、図３の積載ラックからパネルを吊り上げた状態を示す側面図である。図６は、従来例のパネルの積載ラックの説明図である。
なお、以下の説明におけるパネルの一端部とはパネルの組み付け時に上方部に相当する部分であり、パネルの他端部とはパネルの組み付け時に下方部に相当する部分である。また、前後方向とは積載ラックが組み立てられた状態における基台の長手方向であって、左右方向とは積載ラックが組み立てられた状態におけるパネル受け部材の長手方向である。積載ラックに対してパネル建起こし治具を取り付ける側が後方側となる。
【００１９】
本実施形態は、パネル建起こし治具を取り付け可能であって、このパネル建起こし治具が、積載されたパネルの一端部を吊り上げる際に他端部を支持すると共に、パネルの建て起こし時に支点となる支持溝を備えていることを特徴とするパネルの積載ラックの発明に関するものである。
本実施形態に係る積載ラック１は、図１に示すように、積載ラック１の土台となる一対の基台部材１０と、一対の基台部材１０上に立設され、各基台部材１０を連結するパネル受け部材２０と、パネル受け部材２０の外側面に取付けられるパネル建起こし治具４０と、を主に備えており、パネル受け部材２０の上面に各種建物を構成するパネル３０を積載可能な構成となっている。
【００２０】
基台部材１０は、積載ラック１の土台となる部材であって、金属材料から形成された角パイプ形状の長尺体からなり、図１に示すように、二本の基台部材１０が、基台部材１０の長手方向と直交方向に所定の間隔をおいて配置されている。
なお、本実施形態の基台部材１０は、軽量化のために、二本の角パイプ形状の長尺体を用いているが、これに限定されることなく、所定幅の長尺な板体等を用いて剛性を高めても良い。
基台部材１０の長手方向の両側端部の上面には、パネル受け部材２０と嵌合させるための不図示の嵌合穴と、この嵌合穴よりも長手方向外側に形成された不図示のブレス取付用金具とが設けられている。
【００２１】
パネル受け部材２０は、パネル３０を積載する部材であって、金属材料の角パイプから形成された略Ｈ形状の長尺体からなり、図１に示すように、基台部材１０の長手方向に所定の間隔をおいて二本立設されている。
パネル受け部材２０は、基台部材１０の長手方向と直交する方向に長尺なパネル受け部２１と、パネル受け部２１の左右両端部に溶接され、パネル受け部２１に対して垂直に延出する分割支柱部２２と、から主に構成されている。
【００２２】
分割支柱部２２は、各基台部材１０の上面に設けられた不図示の嵌合穴に対して着脱可能に挿嵌され、基台部材１０の上方に延出するように配置されている。
分割支柱部２２は、分割支柱部２２の下端部に設けられた不図示の嵌合軸と、上端部に設けられた不図示の嵌合穴と、を備え、分割支柱部２２同士が上下方向において互いに着脱可能に嵌合されており、複数の分割支柱部２２が、基台部材１０の上方に立設され、全体として積載ラック１の支柱部を構成するものである。
複数のパネル受け部材２０から構成される高さ寸法は、積載ラック１を運搬車両の荷台に積み込んだときに、運搬車両の輸送高さ制限を越えない程度の高さになるように設定されている。
【００２３】
一対のパネル受け部２１の上面には、図１に示すように、一枚のパネル３０が積載されるように構成されており、パネル３０は、パネル受け部材２０によって支持された状態で、一対のパネル受け部材２０よりも基台部材１０の長手方向外側に突出するように積載されている。
パネル受け部２１のうち、パネル受け部２１の幅方向の外側面には、図２に示すように、パネル建起こし治具４０を取り付けるための略円形状からなる取付穴２３が形成されている。
【００２４】
本実施形態における積載ラック１は、基台部材１０上にパネル受け部材２０を立設させた構成となっているが、これに限定されることなく、パネルを積載可能な構成となっていれば適宜変更可能である。例えば、公知な基台部材と、この基台部材上に立設される複数の公知な支柱部材と、この支持部材に懸架するように配設される複数の公知な受け部材とから構成されていても良い。
また、本実施形態の積載ラック１は、フォークリフト等を用いて運搬車両に積み込み可能とするために、パネル受け部材２０よりも剛性の高い基台部材１０を備えており、フォークリフト等で基台部材１０の底面を支持して持ち上げられる構成からなるが、積載ラックに別途吊り具を取り付けて、直接積載ラックをクレーン等で吊り上げて運搬車両に積み込む場合には、基台部材１０を不要の構成としても良い。
【００２５】
パネル３０は、建物の外壁を構成する矩形状の部材であって、図１に示すように、矩形状の面材３１と、面材３１に固定された矩形状のパネルフレーム３２とから主に構成されている。
面材３１は、セラミック系の外壁材や耐水合板等から形成され、面材３１の外側端部３１ａが、パネルフレーム３２の外側端部よりも外側に突出して設けられている。
面材３１の建物の屋内側となる内面には、パネルフレーム３２が不図示の結合用ビス等により固定されている。
【００２６】
パネルフレーム３２は、断面略コ字形状の金属製の長尺部材を溶接等して矩形状に枠組みすることにより形成されている。パネルフレーム３２の外側面には、所定の間隔をおいて形成された不図示のパネル組み立て用のボルト穴が形成されている。
なお、枠組みされたパネルフレーム３２によって囲まれる空間には、グラスウールや発泡ウレタン等から構成される不図示の断熱材が充填されている。
パネルフレーム３２の一端側の外側面の所定位置には、パネル３０を吊り上げる際に用いられる二本のパネル用吊り具３３が取り付けられる。パネル用吊り具３３は、金属材料からなり、ワイヤーロープ等の不図示の懸吊部材を取付可能な環状の懸吊部３３ａ備えている。
【００２７】
パネル建起こし治具４０は、パネル３０の一端部を吊り上げたときにパネル３０の他端部を支持して、パネル３０の建起こしを支援する部材である。
パネル建起こし治具４０は、図２に示すように、パネル受け部材２０側の取付方向に延出する長尺な円筒体からなる円筒部４１と、円筒部４１の上面に溶接され、円筒部４１の長手方向と直交する幅方向に延出した略矩形板状体からなるパネル支持部４２と、パネル支持部４２よりもパネル受け部材２０側に配設され、円筒部４１に嵌通された略Ｌ字形状の折り曲げ板状体からなる折り曲げ部４７と、から主に構成されている。
【００２８】
円筒部４１のパネル受け部材２０側の端部には、取付穴２３に取り付けられる取付部としての軸部４１ａが形成されている。
パネル支持部４２は、円筒部４１の上面に溶接された略矩形状からなる平板部４３と、平板部４３の上面のうち、軸部４１ａ反対側の端部に溶接され、平板部４３の長手方向と直交方向に延びる円筒体からなる壁部４４と、平板部４３の上面のうち、軸部４１ａ側の端部に溶接され、壁部４４の長手方向に延びる板状部材からなる凸部４５と、平板部４３と壁部４４と凸部４５とによって囲まれて形成され、壁部４４の長手方向に延出する支持溝４６とから構成されている。
なお、パネル支持部４２の上面は、特許請求の範囲のパネル支持面に相当する。
折り曲げ部４７は、軸部４１ａとパネル支持部４２を連結する略矩形状の連結部４７ａと、連結部４７ａの下方端部が折れ曲ってパネル受け部材２０側に突出し、パネル受け部２１の底面と当接する略矩形状の当接部４７ｂとから構成されている。
【００２９】
軸部４１ａは、略円柱形状からなり、図３に示すように、パネル受け部２１の取付穴２３に挿通させて取り付けられており、連結部４７ａが、パネル受け部２１のうち、取付穴２３を備えた部分と当接するように構成されている。
このとき、軸部４１ａの直径は、取付穴２３の直径よりも若干小さくなるように形成されており、パネル建起こし治具４０が、パネル受け部材２０に対してパネル受け部材２０外側にやや下方傾斜した状態で、パネル受け部材２０に連結されることになる。
軸部４１ａは、軸部４１ａの長手方向に所定の間隔をおいて円周方向全体にわたって窪んだ取付溝４１ｂを備えている。パネル受け部２１のうち、取付穴２３を備えた部分の上端部が、取付溝４１ｂに引っ掛かって支持される共に、パネル受け部２１の底面が、当接部４７ｂと当接して支持されることにより、パネル建起こし治具４０は、パネル受け部２１に対して強固に連結される構成となっている。
【００３０】
壁部４４は、パネル３０の一端部を吊り上げる際に、パネル３０の他端部を支持する部分であって、パネル３０を建起こすときの支点となる。壁部４４は、凸部４５よりも上方に突出している。
凸部４５の上面は、略平坦状の滑らかな面からなり、図３に示すように、凸部４５の上面のうち、軸部４１ａ側の面には、パネル受け部材２０側に向かって下方傾斜する略矩形状の傾斜面４５ａが形成されている。パネル建起こし治具４０は、傾斜面４５ａとパネル受け部２１の上面とが略平行になるようにして、パネル受け部２１に連結される構成となっている。
支持溝４６は、パネル３０の一端部を吊り上げる際に、パネル３０の他端部を支持する部分であって、略コ字形状に形成されており、壁部４４の長手方向に開放されている。
【００３１】
本実施形態のパネル建起こし治具４０は、板状体や円筒体を溶接固定することによって形成されているが、適宜一体形成することによって部品数を削減して製造しても良い。
なお、本実施形態のパネル建起こし治具４０の底面に、ウールやウレタン等からなるクッション部材を別途取付けても良い。このようにすれば、下段に積載されたパネル３０との接触による損傷又は破損等を一層防止することができる。
本実施形態のパネル建起こし治具４０は、パネル受け部材２０に積載されたパネル３０の形状に対応して、パネル受け部材２０の所定位置に対して一枚のパネル３０毎に二つ取り付けられているが、これに限定されることなく、パネル３０の建て起こしが可能であれば、適宜個数及び配置を変更しても良い。
本実施形態のパネル建起こし治具４０は、パネル受け部材２０に対してやや下方傾斜した状態でパネル受け部材２０に連結されているが、パネル受け部材２０に対して略平行となるように連結されても良い。
【００３２】
本実施形態の軸部４１ａの外表面には、軸部４１ａの長手方向に間隔をおいて４つの取付溝４１ｂが円周方向全体にわたって形成されているが、これに限定されることなく、取付溝の個数や形成位置を適宜変更することが可能である。
また軸部４１ａは、取付穴２３に挿通させて取り付けられているが、軸部４１ａの取付方法は適宜変更可能であって、例えば、別途雄ネジ部を備える軸部と、別途雌ネジ部を備える取付穴とが螺合されて取り付けられていても良い。
本実施形態の壁部４４は、円筒体として形成されているが、これに限定されることなく適宜変更可能であって、例えば楕円体、蒲鉾形状体、又は角柱体等から形成されても良い。
本実施形態の凸部４５は、壁部４４の長手方向において平板部４３よりも短く形成されているが、適宜形状変更可能であって、平板部４３と略同じ長さになるように形成されていても良い。
本実施形態の支持溝４６は、略コ字形状に形成されているが、これに限定されることなく、略Ｕ字形状、略Ｖ字形状等から形成されていても良い。
【００３３】
次に、積載ラック１に積載されたパネル３０の吊り上げ方法、すなわち、パネル３０の一端部を吊り上げる際に、パネル３０の他端部をパネル建起こし治具４０に支持させて、パネル３０を建て起こす方法について、図３乃至図５に基づいて説明する。
【００３４】
積載ラック１に積載されたパネル３０の吊り上げ方法では、最初に、図３に示すように、パネル受け部材２０の外側面に設けられた取付穴２３にパネル建起こし治具４０を取り付ける。
このとき、パネルフレーム３２の他端部の端面の位置が、パネル受け部材２０の長手方向と直交する方向において、凸部４５又は支持溝４６と略同じ位置にあって、凸部４５又は支持溝４６の上方に配置されると良い。
このように配置することによって、パネル３０の一端部を吊り上げるときに、パネル３０の他端部が、図３に示すように略平面からなる凸部４５の上面に支持され、さらに図４に示すように、支持溝４６側に案内され易くなる。
さらに望ましくは、パネル３０の他端部の端面の位置が、パネル受け部材２０の長手方向と直交する方向において、支持溝４６と略同じ位置にあって、支持溝４６の上方に配置されると、パネル３０他端部が支持溝４６側に一層案内され易くなり、壁部４４と当接させ易くなる。
【００３５】
次に、積載ラック１に積載された最上段のパネル３０の一端部の外側面に形成された不図示のパネル組み立て用のボルト穴に図１に示すパネル用吊り具３３を取り付ける。
なお、工場等において事前に積載ラック１にパネル建起こし治具４０が取り付けられ、また、パネル３０にパネル用吊り具３３が取り付けられる場合には、建築現場において次工程から、積載ラック１に積載されたパネル３０の吊り上げ方法を行うことになる。
【００３６】
次に、パネル３０に取り付けられた図１に示すパネル用吊り具３３と、クレーン等の吊り上げ設備に設けられた不図示の吊フックとの両方に不図示の懸吊部材を取り付け、パネル３０の一端部を、クレーン等によっていわゆる２点吊りの状態で吊り上げる。
パネル３０の一端部を吊り上げると、パネル３０がパネル受け部材２０に支持された部分を支点として回転して、図４に示すように、パネル３０の他端部が下方に移動し、パネル建起こし治具４０の上面と当接して支持される。
詳しく言うと、パネル３０の一端部の吊り上げによって、パネル３０の他端部は下方に移動し、図３に示すように、略平面からなる凸部４５の上面に支持される。さらにパネル３０の吊り上げ進行に伴い、パネル３０他端部は、図４に示すように、支持溝４６側にスライドするように案内され、パネル３０他端部の下端の一部分が支持溝４６内に入り込み、そして壁部４４と当接する状態で支持される。その後、パネル３０は、壁部４４を支点として回転しながら建て起こされる。
【００３７】
次に、図５に示すように、最上段のパネル３０の吊り上げが完了すると、最上段に取り付けられたパネル受け部材２０を下段側に取り付けられたパネル受け部材２０から一つ上方に引き抜いて取り外す。
以降、最下段のパネル３０の吊り上げが完了するまで、順次、上述したような手順を繰り返す。
なお、各パネル受け部材２０にパネル建起こし治具４０を一度に取り付けても良く、各パネル３０にパネル用吊り具３３を一度に取り付けて、作業性を向上させても良い。
また、本実施形態のパネル３０の吊り上げ方法では、積載ラック１にパネル建起こし治具４０を取り付ける工程の後に、パネル３０にパネル用吊り具３３を取り付ける工程を行っているが、先にパネル３０にパネル用吊り具３３を取り付ける工程を行っても良い。
【００３８】
以上のように、本実施形態に係る積載ラック１によれば、積載ラック１に積載されたパネル３０の吊り上げを行う際に、パネル同士の接触を避けることができるため、パネル３０の損傷や破損等を防止することができる。
また、積載された複数のパネル３０の吊り上げ作業を順次行う際に、上段のパネル３０のパネル用吊り具３３に懸吊部材を接続して吊り上げ、吊り上げ完了後に不要となったパネル受け部材２０を一つ取り外す作業を行えば連続的に作業できるため、作業効率を向上させることができる。
【００３９】
本実施形態の壁部４４は、円筒体から形成されているが、壁部４４のうち、少なくとも支持溝４６側の部分がＲ形状を備えていると良い。さらに望ましくは、壁部４４のうち、少なくとも支持溝４６側の上端部分がＲ形状を備えていると良い。このように形成されることにより、壁部４４は、パネル３０を建て起こす際にパネル３０を支持する支点として機能し易くなる。
本実施形態の支持溝４６の長手方向と直交する幅は、図４に示すように、壁部４４及び凸部４５の形状、配置によって調整されるものであり、パネル３０を支持する際にパネル３０の幅や厚みに合わせて適宜変更可能である。例えば、パネルの一端部を吊り上げた際に、パネル３０の他端部の下端が、支持溝４６の底面に相当する平板部４３と当接しない構成にすることで、パネル３０とパネル建起こし治具４０が接触する部分が減ることになり、接触による損傷や破損等を防止し易くなる。
特に、パネル３０の他端部が、支持溝４６内に入り込み、壁部４４に当接支持された状態から、パネル３０が壁部４４を支点として建て起こされ、パネル３０の吊り上げが完了する状態までに、パネル３０の外装となる面材３１をパネル建起こし治具４０と接触させないように構成されていると良い。
【００４０】
本実施形態では、積載ラック１に積載されるパネル３０として、外壁パネルを採用したが、これに限定されることなく、屋根パネル、ドアパネル等のように、建物に用いられる幅、長さ、及び厚みの異なるパネル３０を積載ラック１に自由な配置で積載可能である。
このとき、パネル３０を積載するパネル受け部材２０の形状を適宜変更すると良い。
【００４１】
本実施形態では、主として本発明に係るパネル建起こし治具を備えたパネルの積載ラックに関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
特に、パネル建起こし治具４０の形状又は構成について、上記の実施形態にて説明したものは、あくまで一例に過ぎず、本発明を限定するものではない。
【符号の説明】
【００４２】
１  積載ラック
１０  基台部材
２０  パネル受け部材
２１  パネル受け部
２２  分割支柱部
２３  取付穴
３０  パネル
３１  面材
３１ａ  外側端部
３２  パネルフレーム
３３  パネル用吊り具
３３ａ  懸吊部
４０  パネル建起こし治具
４１  円筒部
４１ａ  軸部（取付部）
４１ｂ  取付溝
４２  パネル支持部
４３  平板部
４４  壁部
４５  凸部
４５ａ  傾斜面
４６  支持溝
４７  折り曲げ部
４７ａ  連結部
４７ｂ  当接部
１０１  積載ラック
１３０  複合パネル
１４０  受け具
１４１  上部回動フレーム
１４２  上部受け部材
１４３  下部回動フレーム
１４４  下部受け部材
１４５  支持部材
【図１】
2014114087.tif 000003
【図２】
2014114087.tif 000004
【図３】
2014114087.tif 000005
【図４】
2014114087.tif 000006
【図５】
2014114087.tif 000007
【図６】
2014114087.tif 000008